(57)【要約】      （修正有）【課題】天然の椰子の実を利用すると共に椰子の実の形態をそのまま残して自然物の温かみを表現し、さらに、椰子の実の内部空洞から亀が頭を出して歩く姿を表現すると共に、硬貨を投入すると頭部が揺動することで可愛らしさを表現可能とし、癒し効果と貯金の奨励効果も期待可能とする。【解決手段】自然の椰子の実の外形を亀の胴体の形状に形成してあるので、亀の置物となり、しかも天然の産物である椰子の実の温かみを表現できる。加えて、内部空洞に通じる首穴を開けて、亀の首部を挿入し、亀の頭部を吊り下げてあるため、頭部が容易に揺動でき、亀の可愛らしさを表現できる。【選択図】図１
0003126347.tif 000002
【実用新案登録請求の範囲】
【請求項１】
自然の椰子の実の外形を亀の胴体の形状に形成すると共に、内部空洞に通じる首穴を開けて、亀の首部を挿入し、亀の頭部を吊り下げてなることを特徴とする亀形置物。
【請求項２】
前記の頭部を吊るための首部を前記空洞の内部に延ばし、この延長した部分の上側に、硬貨や紙幣などを挿入するための投入口を開けてあることを特徴とする請求項１に記載の貯金箱を兼ねた亀形置物。
【請求項３】
前記の椰子の実のほぼ上半分を亀の甲羅状に形成し、その多角形状境界部に、前記の投入口をスリット状に開けてあることを特徴とする請求項１または請求項２に記載の貯金箱を兼ねた亀形置物。
【請求項４】
椰子の実のほぼ下半分については、硬い表皮を除去して肉厚を薄くすると共に、４本の足を着けるなることを特徴とする請求項１、請求項２または請求項３に記載の貯金箱を兼ねた亀形置物。
【請求項５】
前記胴体の下部に取り出し用の開口を開けると共に着脱式の蓋で閉鎖し、該蓋の下部と４本の足とで胴体の荷重を支持できるように、該蓋の下部と各足の下端とを同一水平面内に設けてなることを特徴とする請求項１から請求項４までのいずれかの項に記載の貯金箱を兼ねた亀形置物。
【考案の詳細な説明】
【技術分野】
【０００１】
本考案は、椰子の実を利用して製作した亀形の置物に関する。
【背景技術】
【０００２】
実願2005−8217号に記載のように、置物として有用なばかりか、コインを投入するたびに前足部が揺動し、貯金が福を招く雰囲気を漂わせる招き猫の貯金箱を実現すべく、内部が空洞の本体シェル中に投入口から投入されたコインが当たると揺動する基端部と本体シェル外部の前足部とが一体に連結しており、本体シェルの前足挿通部の付近で前足を軸支することによって、前足が軸支部を中心にして揺動する構造が提案されている。
【特許文献１】実願2005−8217
【考案の開示】
【考案が解決しようとする課題】
【０００３】
しかしながら、特許文献１のような構造では、猫形の本体シェル全体が人工物であるため、温かみが無く、癒される雰囲気とは言えない。しかも、よく知られている招き猫の前足が、コインの投入によって揺動するだけであって、それ以上の斬新性は感じられない。
【０００４】
本考案の技術的課題は、このような問題に着目し、天然の産物である椰子の実を利用すると共に椰子の実の形態をそのまま残して自然物の温かみを表現し、しかも椰子の実の空洞をそのまま利用して硬貨などの収納空間を実現するものである。さらに、椰子の実の内部空洞から亀が頭を出して歩く姿を表現すると共に、硬貨を投入すると頭部が揺動することで可愛らしさを表現可能とし、癒し効果と貯金の奨励効果も期待可能とするものである。
【課題を解決するための手段】
【０００５】
本考案の技術的課題は次のような手段によって解決される。請求項１は、自然の椰子の実の外形を亀の胴体の形状に形成すると共に、内部空洞に通じる首穴を開けて、亀の首部を挿入し、亀の頭部を吊り下げてなることを特徴とする亀形置物である。このように、自然の椰子の実の外形を亀の胴体の形状に形成してあるので、亀の置物となり、しかも天然の産物である椰子の実の温かみを表現できる。加えて、内部空洞に通じる首穴を開けて、亀の首部を挿入し、亀の頭部を吊り下げてあるため、頭部が容易に揺動でき、亀の可愛らしさを表現できる。
【０００６】
請求項２は、前記の頭部を吊るための首部を前記空洞の内部に延ばし、この延長した部分の上側に、硬貨や紙幣などを挿入するための投入口を開けてあることを特徴とする請求項１に記載の貯金箱を兼ねた亀形置物である。このように、前記の頭部を吊るための首部を前記空洞の内部に延ばし、この延長した部分の上側に、硬貨や紙幣などを挿入するための投入口を開けてあるため、投入口から硬貨を投入すると、内部の首の延長部に当たって頭部が揺動し、可愛らしさを表現できると共に、硬貨が投入されたことが他人にも容易に分かり、硬貨を投入し貯金する楽しみが増える。紙幣を投入した場合は、硬貨を投入した場合と違って衝撃力が弱いので、揺れは小さい。その結果、揺れの程度によって、硬貨か紙幣からの判別も容易である。このように亀の頭部が揺動すると、可愛らしく、癒し効果も奏する。
【０００７】
請求項３は、前記の椰子の実のほぼ上半分を亀の甲羅状に形成し、その多角形状境界部に、前記の投入口をスリット状に開けてあることを特徴とする請求項１または請求項２に記載の貯金箱を兼ねた亀形置物である。このように、前記の椰子の実のほぼ上半分を亀の甲羅状に形成してあるので、亀の甲羅を表現でき、実物の亀らしく見える。また、甲羅の多角形状境界部に前記の投入口をスリット状に開けてあるため、投入口が目立たず、甲羅の自然さを損なうことがない。
【０００８】
請求項４は、椰子の実のほぼ下半分については、硬い表皮を除去して肉厚を薄くすると共に、４本の足を着けるなることを特徴とする請求項１、請求項２または請求項３に記載の貯金箱を兼ねた亀形置物である。このように、椰子の実のほぼ下半分は、硬い表皮を除去して肉厚を薄くしてあるので、甲羅の部分との判別が容易で、甲羅部分が明確となり、甲羅らしさを強調できる。また、硬い表皮を除去すると、肉質内部の白みが目立つので、亀の白い腹部を表現するのに適しており、４本の足を付けることで、歩いている亀の状態を表現できる。
【０００９】
請求項５は、前記胴体の下部に取り出し用の開口を開けると共に着脱式の蓋で閉鎖し、該蓋の下部と４本の足とで胴体の荷重を支持できるように、該蓋の下部と各足の下端とを同一水平面内に設けてなることを特徴とする請求項１から請求項４までのいずれかの項に記載の貯金箱を兼ねた亀形置物である。このように、前記胴体の下部に取り出し用の開口を開けると共に着脱式の蓋で閉鎖してあるので、この蓋を除去することで、内部に溜まった硬貨や紙幣を取り出すことができる。しかも、該蓋の下部と４本の足とで胴体の荷重を支持できるように、該蓋の下部と各足の下端とを同一水平面内に設けてあるので、４本の足だけでなく、中央部の蓋によっても胴体が支持されるので、各足には高い強度は要しない。
【考案の効果】
【００１０】
請求項１のように、自然の椰子の実の外形を亀の胴体の形状に形成してあるので、亀の置物となり、しかも天然の産物である椰子の実の温かみを表現できる。加えて、内部空洞に通じる首穴を開けて、亀の首部を挿入し、亀の頭部を吊り下げてあるため、頭部が容易に揺動でき、亀の可愛らしさを表現できる。
【００１１】
請求項２のように、前記の頭部を吊るための首部を前記空洞の内部に延ばし、この延長した部分の上側に、硬貨や紙幣などを挿入するための投入口を開けてあるため、投入口から硬貨を投入すると、内部の首の延長部に当たって頭部が揺動し、可愛らしさを表現できると共に、硬貨が投入されたことが他人にも容易に分かり、硬貨を投入し貯金する楽しみが増える。紙幣を投入した場合は、硬貨を投入した場合と違って衝撃力が弱いので、揺れは小さい。その結果、揺れの程度によって、硬貨か紙幣からの判別も容易である。このように亀の頭部が揺動すると、可愛らしく、癒し効果も奏する。
【００１２】
請求項３のように、前記の椰子の実のほぼ上半分を亀の甲羅状に形成してあるので、亀の甲羅を表現でき、実物の亀らしく見える。また、甲羅の多角形状境界部に前記の投入口をスリット状に開けてあるため、投入口が目立たず、甲羅の自然さを損なうことがない。
【００１３】
請求項４のように、椰子の実のほぼ下半分は、硬い表皮を除去して肉厚を薄くしてあるので、甲羅の部分との判別が容易で、甲羅部分が明確となり、甲羅らしさを強調できる。また、硬い表皮を除去すると、肉質内部の白みが目立つので、亀の白い腹部を表現するのに適しており、４本の足を着けることで、歩いている亀の状態を表現できる。
【００１４】
請求項５のように、前記胴体の下部に取り出し用の開口を開けると共に着脱式の蓋で閉鎖してあるので、この蓋を除去することで、内部に溜まった硬貨や紙幣を取り出すことができる。しかも、該蓋の下部と４本の足とで胴体の荷重を支持できるように、該蓋の下部と各足の下端とを同一水平面内に設けてあるので、４本の足だけでなく、中央部の蓋によっても胴体が支持されるので、各足には高い強度は要しない。
【考案を実施するための最良の形態】
【００１５】
次に本考案による亀形置物が実際上どのように具体化されるか実施形態を説明する。図１は本考案による亀形置物の斜視図で、１は甲羅部、２は頭部、ｅは目、３は左前足、４は左後足である。椰子の実の突起状部と反対側の丸形部に、内部の空洞部に通じる首穴５を開け、その中に首部６を挿入してある。なお、首穴５は、椰子の実の任意の位置に開けることも可能である。この首穴５を前向きにした状態で、ほぼ上半分に甲羅部１を形成してある。ほぼ下半分７は、硬い表皮を剥離し除去して肉厚を薄くすることで、甲羅部１との違いを鮮明に表現している。表皮を除去すると、その内部の白っぽい肉質部７が現れるので、亀の白い腹部を表現するのに適している。
【００１６】
そして白っぽい肉質部７に開けた凹部又は穴に左前足３と左後足４の付け根部を嵌め込んで着脱式に取り着けてある。肉質部７の反対側にも、同様にして右前足と右後足が取付けてあることは言うまでもない。この際、接着剤を用いて、離脱不能に固定してもよいが、着脱構造にすると、運搬時は各足を取り外し、使用時に装着することも可能である。椰子の実のほぼ上半分には、硬い表皮を残した状態で、多数の多角形状のうろこから成る甲羅状に表現するための溝８を多角形状に形成すると共に、黒っぽく着色して、甲羅模様を強調している。段差部９は、ほぼ下半分の硬い表皮を除去したために生じた段差である。
【００１７】
甲羅の最も高い頂き部における多角形状溝８には、硬貨や紙幣などを投入するための投入口ｉをスリット状に開けてある。頭部２と一体の首部６は、前記の投入口ｉの真下まで延びているため、投入口ｉから硬貨や紙幣を投入すると、首の延長部に当たって、頭部２が揺動する。
【００１８】
図２は、この頭部の揺動構造を説明する図で、首穴５の位置における縦断面図である。椰子の実の内部空洞１０をそのまま利用して、貯金のために投入された硬貨や紙幣などを収納する空間にしている。椰子の実の丸い端部側を部分的に除去して首穴５を形成し、この首穴５が前向きとなるように使用する。頭部２と一体の首部６は、１１のように、硬貨などの投入口ｉの真下位置まで、空洞部１０中に延びている。首穴５の天井部にはフックｆを取付け固定してあり、首部６にリング１２を取付け固定てしてある。そして、このリング１２を首穴のフックｆに引っ掛けることによって、頭部２が揺動可能となっている。そのため、甲羅部１の頂端位置に開けてある投入口ｉから硬貨や紙幣を投入すると、首部６の延長部１１に当たるため、その衝撃で延長部１１と頭部２が同時に一緒に上下左右に揺動する。
【００１９】
フックｆに対しリング１２が容易に動けるように吊られているので、この吊り下げ部を支点にして、延長部１１と頭部２がほぼ水平にバランスしている状態で、硬貨や紙幣が衝突すると、同時に揺動する。なお、フックｆとリング１２は、容易にねじ込めるように、オネジ状になっている。
【００２０】
前記胴体１の下部に取り出し用の開口１３を開けて、着脱式の蓋Ｃで閉じてある。すなわち、硬い表皮を除去して肉厚が薄くなった腹部７において、その下部中央に取り出し穴１３を開けてあるので、空洞部１０中に溜まっている硬貨や紙幣などを取り出すことができる。したがって、この取り出し穴１３は、通常は着脱式の蓋Ｃで閉鎖されていることは言うまでもない。
【００２１】
開口１３は、４本の足の間に位置しているが、開口１３を閉じている蓋Ｃも、４本の足と同様に胴体を支持する働きをしている。そのために、該蓋Ｃの下部と４本の足とで胴体の荷重を支持できるように、該蓋Ｃの下部と各足の下端とを同一水平面内に設けてある。このように、中央の蓋Ｃでも胴体１が支持されるので、各足を着脱式にしても、強度上の問題が生じることはない。なお、胴体１の下部中央すなわち４本の足の間に蓋Ｃが位置しているので、同体１の荷重は殆どが蓋Ｃで支持される。
【００２２】
以上の蓋Ｃや頭部２、首延長部１１、４本の足なども全部、腹部７を形成するためにほぼ下半分を除去する際に発生した表皮部材を利用して形成してあるので、１個の椰子の実だけで亀形置物の全体を製作できる。なお、首部６とその延長部１１とは別体で形成した後、接着などの手法で一体に連結してもよい。図には表現してないが、椰子の実の丸い部分の反対側の突起状の部分をそのまま生かして、亀の尾状に表現できる。
【産業上の利用可能性】
【００２３】
以上のように、本考案によると、椰子の実の丸い端部に首穴を開けて、その天井部に首部が揺動可能に吊り下げてあり、首部を空洞部中に延長して、頂き部に開けた投入口から硬貨を投入すると、硬貨が当たって延長部が頭部と一緒に揺動するため、可愛らしく感じられ、貯金する楽しみが増える。また、天然の椰子の実を使用することと相まって、癒し効果を奏する。椰子の実の空洞をそのまま、硬貨などの収納部として利用でき、さらに椰子汁やヤシ油を採取した後の椰子の実を廃物利用できるので、安価な置物となる。
【図面の簡単な説明】
【００２４】
【図１】本考案による亀形置物の斜視図である。
【図２】頭部の揺動構造を示す図で、首穴の位置における縦断面図である。
【符号の説明】
【００２５】
１  甲羅部
２  頭部
５  首穴
ｆ  フック
６  首部
８  多角形状境界部
ｉ  投入口
１０  空洞部
１１  首部の延長部
１２  リング
１３  取り出し穴
Ｃ  蓋
【図１】
0003126347.tif 000003
【図２】
0003126347.tif 000004